(57)【要約】  物品を取り付けるための装置は、本体と、本体の第１および第２の側に配置された第１および第２のフックとを含む。装置はさらに、本体に取り付けられ、第１のフックを閉じるように配置された第１のゲート、および本体に取り付けられ、第２のフックを閉じるように配置された第２のゲートとを含む。【選択図】図１Ａ
2016509655.tif 000002
【特許請求の範囲】
【請求項１】
物品を取り付けるための装置であって、
本体と、
前記本体の第１および第２の側に配置された第１および第２のフックと、
前記本体に取り付けられ、前記第１のフックを閉じるように配置された第１のゲート、および前記本体に取り付けられ、前記第２のフックを閉じるように配置された第２のゲートと、
前記本体に配置された枢動ロックであって、前記枢動ロックの第１の端部が前記第１のゲートに寄りかかり、前記枢動ロックの第２の端部が前記第２のゲートに寄りかかり、前記第１および第２のゲートが開くのを防ぐ第１の位置、および前記枢動ロックの前記第１の端部が前記第１のゲートに寄りかからず、前記枢動ロックの前記第２の端部が前記第２のゲートに寄りかからず、前記第１および第２のゲートを開くことができる第２の位置を有する枢動ロックと
を含む装置。
【請求項２】
前記本体ならびに前記第１および第２のフックが「Ｓ」字形であり、前記本体が、丸みのある中央部分、ならびに前記Ｓ字形の両側に第１および第２の切欠きを有し、前記枢動ロックが、前記丸みのある中央部分の周りに配置される第１および第２のタブを含み、前記枢動ロックが前記第１の位置にあるとき、前記第１および第２のタブがそれぞれ前記第１および第２の切欠きに配置される、請求項１に記載の装置。
【請求項３】
前記第１および第２のゲートが、閉じているとき本質的に平行であり、前記第１のゲートから前記第２のゲートまでの距離が、前記枢動ロックの前記第１の端部から前記枢動ロックの前記第２の端部までの長さよりわずかに短い、請求項２に記載の装置。
【請求項４】
前記第１および第２のタブがそれぞれ前記第１および第２の切欠きに留まっているとき、前記枢動ロックが、前記第１および第２のゲートのそれぞれに対して鋭角であり、前記枢動ロックを前記第２の位置へ動かすために、前記枢動ロックが前記第１および第２のゲートに対して垂直な位置を通らなければならず、前記位置を通るためには、前記第１のゲートから前記第２のゲートまでの前記距離が、前記枢動ロックの前記第１の端部から前記枢動ロックの前記第２の端部までの前記長さよりわずかに短いため、前記枢動ロックがわずかに変形しなければならない、請求項３に記載の装置。
【請求項５】
前記枢動ロックを前記第１および第２の切欠きまで回すためには、前記第１および第２のタブがわずかに撓まなければならないように、前記丸みのある中央部分がわずかに非対称である、請求項２に記載の装置。
【請求項６】
前記第１の切欠き前の前記丸みのある中央部分の一部から前記第１のゲートまでの第１の距離が、前記第１のタブの厚さよりもわずかに短く、前記第１のタブが、前記第１の切欠きまで通り抜けるためにわずかに変形しなければならない、請求項２に記載の装置。
【請求項７】
前記第１の位置では、前記枢動ロックが、前記第１のゲートおよび前記第２のゲートに対して垂直でない角度となる、請求項１に記載の装置。
【請求項８】
前記第１の位置から前記第２の位置まで動くために、前記第１のゲートおよび前記第２のゲートに対して前記枢動ロックが垂直な角度となる位置を前記枢動ロックが越える、請求項７に記載の装置。
【請求項９】
前記第１の位置では、前記ゲートへの内側圧力が、前記第１のゲートおよび前記第２のゲートに対して垂直な角度から前記枢動ロックを離すように、かつ前記本体の止め部の方へ押そうとするように、前記装置は構成される、請求項８に記載の装置。
【請求項１０】
第１の端部に第１のフック、および第２の端部に第２のフックを有するＳ字形本体と、
前記第１および第２のフックを閉じるように配置された第１および第２のゲートであって、前記Ｓ字形本体の前記中央の方へ内向きに開く第１および第２のゲートと、
前記Ｓ字形本体の中央に配置された枢動ロックであって、第１および第２の端部がそれぞれ、前記第１および第２のゲートに近接し、前記第１および第２のゲートが開くのを防ぐ第１の位置、および前記第１および第２の端部が前記第１および第２のゲートに近接せず、前記第１および第２のゲートが操作可能な第２の位置を有する枢動ロックと
を含む、物品を取り付けるための装置。
【請求項１１】
前記Ｓ字形本体が、丸みのある中央部分と、前記第１および第２のゲートのそれぞれの枢動点の近くで、前記Ｓ字形本体の両側に第１および第２の切欠きとを有し、前記枢動ロックが第１および第２のタブを含み、前記第１および第２のタブが、前記丸みのある中央部分の周りに配置され、前記枢動ロックが前記第１の位置にあるとき、前記第１および第２のタブが、それぞれ前記第１および第２の切欠きに配置される、請求項１０に記載の装置。
【請求項１２】
前記枢動ロックが前記第１の位置にあるとき、前記第１のゲートへの圧力によって、前記第１のタブが前記第１の切欠きの中へ押され、前記第１の切欠きによって、前記枢動ロックがさらに回転するのが防止される、請求項１０に記載の装置。
【請求項１３】
前記第１および第２のゲートが、閉じているとき本質的に平行であり、前記第１のゲートから前記第２のゲートまでの距離が、前記枢動ロックの前記第１の端部から前記枢動ロックの前記第２の端部までの長さよりわずかに短い、請求項１０に記載の装置。
【請求項１４】
前記枢動ロックは、前記第１の位置では、前記第１のゲートおよび前記第２のゲートに対して垂直でない角度となる、請求項１０に記載の装置。
【請求項１５】
前記第１の位置から前記第２の位置まで動くために、前記第１のゲートおよび前記第２のゲートに対して前記枢動ロックが垂直な角度となる位置を前記枢動ロックが越える、請求項１４に記載の装置。
【請求項１６】
前記第１の位置では、前記ゲートへの内側圧力が、前記枢動ロックを、前記第１のゲートおよび前記第２のゲートに対して垂直な角度から離れるように、かつ前記本体の止め部の方へ押そうとするように、前記装置が構成される、請求項１５に記載の装置。
【発明の詳細な説明】
【背景技術】
【０００１】
カラビナは、多くの状況において、様々な取付け点から安全に物体を吊すために使用される。たまに、カラビナのゲートは、動きの中での出来事によって外れることがあり、また、ゲートが開き、カラビナが脱離することがある。こうした脱離は望ましくない。
【発明の概要】
【０００２】
１つの実施形態では、物品を取り付けるための装置は、本体と、本体の第１および第２の側に配置された第１および第２のフックとを含む。装置はさらに、本体に取り付けられ、第１のフックを閉じるように配置された第１のゲート、および本体に取り付けられ、第２のフックを閉じるように配置された第２のゲートを含む。装置はさらに、本体に配置された枢動ロックであって、枢動ロックの第１の端部が第１のゲートに寄りかかり、枢動ロックの第２の端部が第２のゲートに寄りかかり、第１および第２のゲートが開くのを防ぐ第１の位置、および枢動ロックの第１の端部が第１のゲートに寄りかからず、枢動ロックの第２の端部が第２のゲートに寄りかからず、第１および第２のゲートを開くことができる第２の位置を有する枢動ロックを含む。任意選択で、本体ならびに第１および第２のフックは「Ｓ」字形であり、本体は、丸みのある中央部分、ならびにＳ字形の両側に第１および第２の切欠きを有し、枢動ロックは、丸みのある中央部分の周りに配置される第１および第２のタブを含み、枢動ロックが前記第１の位置にあるとき、第１および第２のタブはそれぞれ第１および第２の切欠きに配置される。１つの構成では、第１および第２のゲートは、閉じているとき本質的に平行であり、第１のゲートから第２のゲートまでの距離が、枢動ロックの第１の端部から枢動ロックの第２の端部までの長さよりわずかに短い。別の構成では、第１および第２のタブはそれぞれ第１および第２の切欠きに留まっているときに、枢動ロックは、第１および第２のゲートのそれぞれに対して鋭角であり、枢動ロックを第２の位置へ動かすために、枢動ロックは第１および第２のゲートに対して垂直な位置を通らなければならず、その位置を通るためには、第１のゲートから第２のゲートまでの距離は、枢動ロックの第１の端部から枢動ロックの第２の端部までの長さよりわずかに短いため、枢動ロックはわずかに変形しなければならない。任意選択で、丸みのある中央部分は、枢動ロックを第１および第２の切欠きまで回すためには、第１および第２のタブがわずかに撓まなければならないように、わずかに非対称である。１つの代替方法では、第１の切欠き前の丸みのある中央部分の一部から第１のゲートまでの第１の距離は、第１のタブの厚さよりもわずかに短く、第１のタブは、第１の切欠きまで通り抜けるためにわずかに変形しなければならない。任意選択で、第１の位置では、枢動ロックは、第１のゲートおよび第２のゲートに対して垂直でない角度となる。１つの構成では、枢動ロックは、第１の位置から第２の位置まで動くために、第１のゲートおよび第２のゲートに対して垂直な角度となる位置を越える。あるいは、装置は、第１の位置では、ゲートへの内側圧力が、枢動ロックを第１のゲートおよび第２のゲートに対して垂直な角度から離れるように、かつ本体の止め部の方へ押そうとするように構成される。
【０００３】
１．別の実施形態では、物品を取り付けるための装置は、第１の端部に第１のフック、および第２の端部に第２のフックを有するＳ字形本体を含む。装置はさらに、第１および第２のフックを閉じるように配置された第１および第２のゲートであって、Ｓ字形本体の中央の方へ内向きに開く第１および第２のゲートを含む。装置はさらに、Ｓ字形本体の中央に配置された枢動ロックであって、第１および第２の端部がそれぞれ、第１および第２のゲートに近接し、第１および第２のゲートが開くのを防ぐ第１の位置、および第１および第２の端部が第１および第２のゲートに近接せず、第１および第２のゲートが開くことができる（または操作可能である）第２の位置を有する枢動ロックを含む。任意選択で、Ｓ字形本体は、丸みのある中央部分と、第１および第２のゲートのそれぞれの枢動点の近くで、Ｓ字形本体の両側に第１および第２の切欠きとを有し、枢動ロックは第１および第２のタブを含み、第１および第２のタブは、丸みのある中央部分の周りに配置され、枢動ロックが第１の位置にあるとき、それぞれ第１および第２の切欠きに配置される。任意選択で、枢動ロックが第１の位置にあるとき、第１のゲートへの圧力によって、第１のタブは第１の切欠きの中へ押され、第１の切欠きによって、枢動ロックがさらに回転するのが防止される。あるいは、第１および第２のゲートは、閉じているとき本質的に平行であり、第１のゲートから第２のゲートまでの距離は、枢動ロックの第１の端部から枢動ロックの第２の端部までの長さよりわずかに短い。任意選択で、枢動ロックは、第１の位置では、第１のゲートおよび第２のゲートに対して垂直でない角度となる。あるいは、枢動ロックは、第１の位置から第２の位置まで動くために、第１のゲートおよび第２のゲートに対して垂直な角度となる位置を越える。任意選択で、装置は、第１の位置では、ゲートへの内側圧力が、枢動ロックを、第１のゲートおよび第２のゲートに対して垂直な角度から離れるように、かつ本体の止め部の方へ押そうとするように構成される。
【図面の簡単な説明】
【０００４】
【図１】図１ａはロック式ダブルカラビナの１つの実施形態の正面図である。図１ｂは図１ａのロック式ダブルカラビナの背面図である。
【図２】図１ａのロック式ダブルカラビナのフック部分の図である。
【図３】図１ａのロック式ダブルカラビナの枢動ロック部分の図である。
【発明を実施するための形態】
【０００５】
ロック式ダブルカラビナには様々なシステムおよび方法がある。図１ａは、ロック式ダブルカラビナ（ＬＤＣ）１００の１つの実施形態を示す。ＬＤＣ１００は、上部および下部のフック１１０を含む。ゲート１２０は、各フック１１０を覆って閉じるように配置される。枢動ロック１３０は、ＬＤＣ１００のゲート１２０をロックする。図面から明らかなように、枢動ロック１３０の端部は、ＬＤＣ１００のゲート１２０を突っ張る。したがって、ゲート１２０に圧力が加えられたとしても、ゲート１２０が開くことはない。枢動ロック１３０は回されて水平配置にされると、ゲート１２０は普通に開くことができる。図１ｂは、枢動ロック１３０のペグ部分およびキャップ１４０を示すＬＤＣ１００の裏面図である。枢動ロックの端部を定位置に保持するために、円形キャップ１４０が取り付けられる。これによって、ペグ部分がＬＤＣ１００の本体から外れないようになっている。
【０００６】
図２は、付加の金具類を取り除いた状態のＬＤＣ１００のフック１１０部分を示す。フック部分は、ゲート穴２２０、２２５、ロック穴２３０、およびゲート切欠き２１０を含む。フック部分１１０の中央部分の形状も重要である。湾曲部２５０および切欠き２５５によって、ロック部分１３０を回して定位置にロックすることができる。湾曲部分２５０は、ゲート１２０間の垂直距離が枢動ロック１３０のロッキングバー３１０の長さよりわずかに短くなるような形状になっている。したがって、タブ３２０が切欠き２５５内に収まるまで枢動ロック１３０を回すには、強い圧力をかける必要がある。一旦、タブ３２０が切欠き２５５内に収まると、ロックをはずすには枢動ロック１３０を同じように変形させる必要がある。
【０００７】
代替の実施形態では、湾曲部分２５０は、わずかに非対称にして、湾曲部分２５０が切欠き２５５に近づくにつれて、わずかに出っ張らせた形状にすることができる。このような構成では、タブ３２０は切欠き２５５に近づくにつれてわずかに撓む。別の代替方法では、ゲート１２０と湾曲部分２５０との間の隙間は、タブ３２０が切欠き２５５に行くまでに通る領域で圧縮されるようにすることができる。枢動ロック１３０を定位置にロックする本明細書で説明する技法のすべては、枢動ロック１３０を定位置にロックするために、単独で、または協働して用いることができる。
【０００８】
図３は枢動ロック１３０の側面図である。枢動ロック１３０は、ロッキングバー３１０、タブ３２０、およびペグ３３０を含む。
【０００９】
図４はゲート１２０を示す。ゲート１２０は、ペグ４１０、４４０、角度付き部分４３０、およびアーム４２０を含む。
【００１０】
角度付き部分４３０、およびペグ４１０、４４０を受け入れる、ずらして配置されたゲート穴２２０、２２５は、組み合わせた状態で、ゲート１２０を自動的に閉じるようにするばね型の圧力をゲート１２０に与えるように機能する。さらに、枢動ロック１３０は、タブ３２０によって湾曲部分２５０を越えるように回すことができる。枢動ロック１３０は、湾曲部分２５０とゲート１２０との間を進んでいるときにはわずかに圧縮されて、切欠き２５５に来て留まる。枢動ゲート１３０のロッキングバー３１０の長さは、ＬＤＣ１００の両側のゲート１２０からゲート１２０までの垂直距離よりもわずかに短い。枢動ロック１３０をはずすために、ロッキングバー３２０はゲート１２０と湾曲部分２５０との間で圧縮される。ロックをはずすためにはこの圧力に打ち勝たねばならないので、これによって、枢動ロック１３０は切欠き２５５内にロックされる。さらに、図１ａに示すように、枢動ロック１３０の角度は、ゲート１２０からの圧力が枢動ロック１３０のタブ３２０をＬＤＣ１００の本体の中へ押そうとするような角度である。ゲート１２０に対するこのような角度は、ゲート１２０への圧力が枢動ロック１３０をはずすようにしないので、一般により望ましい。
【００１１】
一般に、ＬＤＣ１００の構成部品は、金属および／またはプラスチックから構成される。ＬＤＣ１００の機構は、非常に小型版のカラビナに適している。ゲート自体に配置されたロック機構を用いる他のロック式のカラビナはあるが、そのような配置は非常に小型の用途には実現できない、または操作するのが困難な場合がある。ＬＤＣ１００はまた、両方のゲートを同時にロック解除することができるという利点を有する。
【００１２】
上記の詳細な説明は、ロック式ダブルカラビナのためのシステムおよび方法を実施するための少数の実施形態の説明であり、範囲を限定することが意図されたものではない。以下の特許請求の範囲では、開示されるロック式ダブルカラビナのシステムおよび方法の多数の実施形態が、より詳細に説明される。
【図１Ａ】
2016509655.tif 000003
【図１Ｂ】
2016509655.tif 000004
【図２】
2016509655.tif 000005
【図３】
2016509655.tif 000006
【図４】
2016509655.tif 000007
【国際調査報告】
2016509655.tif 000008